(57)【要約】【目的】  本発明の目的は挿入時又は排出時にカードがスロット内で傾くのを防止し且つスライダのロックに不具合が生じることがないカードコネクタを提供することにある。【構成】  カードＭが挿脱可能なスロット110を有するコネクタ本体100と、コネクタ本体100の幅方向の一端部にカードＭと共に挿脱方向にスライド移動自在に設けられたスライダ200とを備え、スライダ200はスロット110の幅方向の一端面から突出する突出部220を有する。突出部220は、カードＭの一側面に当接可能な突出部本体221と、突出部本体221の挿入方向の先端部に設けられており且つカードＭの先端部の角部に当接可能な当接部222とを有し、突出部本体221のカード当接面には挿入時のカードＭをスロット110の他端面に向けて移動させるための傾斜面2211ａと、この傾斜面2211ａと連なる面であり且つ移動したカードＭをスロット110の他端面との間で保持するための保持面2211ｂとが設けられている。【選択図】      図１
2005322494.tif 000002
【特許請求の範囲】
【請求項１】
カードが挿脱可能なスロットを有するコネクタ本体と、このコネクタ本体の幅方向の一端部にカードと共に挿脱方向にスライド移動自在に設けられたスライダとを有するカードコネクタにおいて、前記スライダはスロットの幅方向の一端面から突出する突出部を有し、この突出部は、カードの一側面に当接可能な突出部本体と、この突出部本体の挿入方向の先端部に設けられており且つカードの先端部の一部に当接可能な当接部とを有し、前記突出部本体のカード当接面には挿入時のカードをスロットの他端面に向けて移動させるための傾斜面と、この傾斜面と連なる面であり且つ移動した前記カードをスロットの他端面との間で保持するための保持面とが設けられていることを特徴とするカードコネクタ。
【請求項２】
カードの一側面の下端部の一部に凸脈状の凸部が設けられた請求項１記載のカードコネクタにおいて、前記スライダの突出部本体のカード対向面の下端部には前記カードの凸部が挿入可能な切欠き部が設けられており、この切欠き部のカードの凸部の先端部に対向する対向面に前記傾斜面及び保持面が設けられていることを特徴とするカードコネクタ。
【請求項３】
請求項１記載のカードコネクタにおいて、前記突出部はカードを上下逆さにしてスロットに挿入したときに当該カードが当接する箇所がカードの先端部に対して平面状にされていることを特徴とするカードコネクタ。
【発明の詳細な説明】
【技術分野】
【０００１】
本発明は、メモリカード等の小型のカードが挿入されるカードコネクタに関する。
【背景技術】
【０００２】
この種のカードコネクタは、カードが挿脱可能なスロットを有するコネクタ本体と、このコネクタ本体の幅方向の一端部にカードと共に挿脱方向にスライド移動自在に設けられたスライダと、コネクタ本体の一端部に設けられ、挿入方向にスライド移動したスライダをロックするロック機構とを備えている。このカードコネクタは前記スライダが挿入されたカードの先端部の角部に当接し押圧されることにより、カードと共に挿入方向にスライド移動するようになっている( 特許文献１参照) 。
【０００３】
ところで、カードには、各種の規格があり、この規格に準じてカードの寸法が決定されているものの、カード毎に寸法公差があるため、その幅寸法が異なるものがある。前記カードコネクタは、カードを挿脱し易くするために前記コネクタ本体のスロットの幅寸法がカードの最大幅寸法よりも若干幅広に構成されている。このため、挿入時又は排出時にカードがスロット内で幅方向に回転して傾く( 即ち、ガタつく) 場合がある( 図５参照) 。特に、最大幅寸法のカードよりも幅寸法が小さいカードを使用すると、カードがスロット内で傾く可能性が高くなる。このようにカードがスロット内で傾くと、カードがスロット内で引っ掛かったり、カードがスライダに斜めに当接し当該スライダのスムーズなスライド移動を妨げたりする。即ち、前記カードコネクタではカードの挿脱をスムーズに行うことができないという問題が内在している。
【０００４】
また、傾いた状態でカードをスロットに押し込むと、スライダがロック機構にロックされる所定位置までスライド移動しない場合がある( 即ち、カードの押し切り不足が生じる場合がある) 。このため、スライダがロック機構にうまくロックされず、ロックに不具合が生じるという別の問題も内在している。
【０００５】
もっとも、スライダのカード当接部に半円弧状の凸部を設け、当該凸部の略中心位置にカードを当接させることにより、スライダにカードが斜めに当接することにより作用するスライダの回転させようとする力を極力小さくし、これによりスライダのスムーズなスライド移動を図ったものがある( 特許文献２参照) 。
【０００６】
【特許文献１】特開２０００−２５１０２４号公報
【特許文献２】特開２００３−１４２２０１号公報
【発明の開示】
【発明が解決しようとする課題】
【０００７】
しかしながら、前記カードコネクタでは、スロットがカードの幅寸法よりも幅広に構成されている以上、依然として上記問題が内在している。
【０００８】
本発明は、上記事情に鑑みて創案されたものであって、その目的とするところは、挿入時又は排出時にカードがスロット内で傾くのを防止し、且つスライダのロックに不具合が生じることがないカードコネクタを提供することにある。
【課題を解決するための手段】
【０００９】
上記課題を解決するために、本発明のカードコネクタは、カードが挿脱可能なスロットを有するコネクタ本体と、このコネクタ本体の幅方向の一端部にカードと共に挿脱方向にスライド移動自在に設けられたスライダとを有するカードコネクタであって、前記スライダはスロットの幅方向の一端面から突出する突出部を有し、この突出部は、挿入されたカードの一側面に当接可能な突出部本体と、この突出部本体の挿入方向の先端部に設けられており且つカードの先端部の一部に当接可能な当接部とを有し、前記突出部本体のカード当接面には挿入時のカードをスロットの他端面に向けて移動させるための傾斜面と、この傾斜面と連なる面であり且つ移動した前記カードをスロットの他端面との間で保持するための保持面とが設けられていることを特徴としている。
【００１０】
カードの一側面の下端部の一部に凸脈状の凸部が設けられている場合、前記スライダの突出部本体のカード対向面の下端部には前記カードの凸部が挿入可能な切欠き部を設け、この切欠き部のカードの凸部の先端部に対向する対向面に前記傾斜面及び保持面を設けるようにすることが好ましい。
【００１１】
前記突出部はカードを上下逆さにしてスロットに挿入したときに当該カードが当接する箇所がカードの先端部に対して平面状にされていることが好ましい。
【発明の効果】
【００１２】
本発明の請求項１に係るカードコネクタによる場合、カードがコネクタ本体のスロットに挿入されると、当該カードがスライダの突出部の突出部本体の傾斜面によりスロットの他端面に向けて移動する。そして、当該突出部の突出部本体の傾斜面と連なる面である保持面によりスロットの他端面との間で保持されるようになっている。このようにスライダの突出部の形状を利用してカードの傾きを防止するようになっていることから、別部材を追加することなく、従来例と略同じ大きさのカードコネクタでカードのスロット内での傾きを防止することができる。よって、カードがスロット内で引っ掛かったりスライダに斜めに当接して当該スライダのスムーズなスライド移動を妨げたりすることを防止することができる。また、スライダがロック機構にロックされる位置までスムーズにスライド移動することから、従来例の如くロック機構のロックに不具合が生じることがない。
【００１３】
本発明の請求項２に係るカードコネクタによる場合、前記スライダの突出部の突出部本体のカード対向面の下端部に設けられた切欠き部のカードの凸部の先端部に対向する対向面に前記傾斜面及び保持面が設けられている。この切欠き部にカードの一側面の下端部の一部に設けられた凸脈状の凸部が挿入され、請求項１と同様に前記傾斜面及び保持面に当接するようになっている。このため、カードが幅方向に傾きを防止するだけでなく、上下方向の傾き( ガタツキ) も防止することができる。よって、更にカードの挿脱をスムーズに行うことが可能になる。
【００１４】
本発明の請求項３に係るカードコネクタによる場合、カードを上下逆さにコネクタ本体のスロットに挿入したときのスライダの突出部のカード当接箇所がカードの先端部に対して平面状になっている。よって、カードを誤って上下逆さにスロットに挿入したとしても、当該カードによりスライダのカード当接箇所が破損するというようなことがない。
【発明を実施するための最良の形態】
【００１５】
以下、本発明の実施の形態に係るカードコネクタについて図面を参照しながら説明する。図１は内部が透過したカードコネクタを示す図であって、( ａ) はカードが挿入されていない状態のカードコネクタの概略的底面図、( ｂ）はカードが挿入された状態の時のカードコネクタの概略的底面図、図２は同コネクタに挿入されるカードの概略的平面図、図３は同コネクタのスライダを示す図であって、( ａ) が概略的底面図、( ｂ）が概略的平面図、図４は内部が透過した同コネクタのカードが上下逆さに挿入された状態を示す概略的底面図である。
【００１６】
図１に示すカードコネクタは、カードＭが挿脱可能なスロット１１０を有するコネクタ本体１００と、このコネクタ本体１００の幅方向の一端部にカードＭと共に挿脱方向にスライド移動自在に設けられたスライダ２００とを備えている。以下、各部を詳しく説明する。
【００１７】
カードＭは、図１及び図２に示すように、矩形状をしており、その先端部の下面上に端子が設けられている。また、カードＭは幅方向の一側面の先端部が切り欠かれている。この切欠き部の下端部には凸脈状の凸部１０が設けられている。
【００１８】
コネクタ本体１００は、スロット１１０内にカードＭの端子と接触可能に露出した端子部１２０が設けられている。また、コネクタ本体１００の一端部には、スライダ２００をスライド移動可能に案内するための案内溝１３０( 図４参照) が設けられている。この案内溝１３０には、スライダ２００の他、スプリング３００が収容される。このスプリング３００は、案内溝１３０に嵌合したスライダ２００の挿入方向の先端面と、当該案内溝１３０の長さ方向の一端面との間に圧縮した状態で収容され、これによりスライダ２００を排出方向に付勢する。
【００１９】
また、コネクタ本体１００の一端部には、スライダ２００に形成された溝部２２１３と共に構成されるロック機構４００( 図４参照) が設けられている。このロック機構４００は、スライダ２００がカード挿入位置β( 図１参照) に位置したときにカードＭを挿入方向に押し込むことにより、当該スライダ２００のロック及びこのロックの解除を行う周知のハートカム機構等である。
【００２０】
スライダ２００は、図１及び図３に示すように、コネクタ本体１００の案内溝１３０に案内されるスライダ本体２１０と、このスライダ本体２１０と一体的に設けられており且つスロット１１０の幅方向の一端面から突出する突出部２２０とを有する。このスライダ２００は案内溝１３０をカード排出位置αからカード挿入位置βにかけてスライド移動するようになっている( 図１参照) 。
【００２１】
突出部２２０は、カードＭの一側面に当接可能な突出部本体２２１と、この突出部本体２２１の挿入方向の先端部に設けられており且つカードＭの先端部の角部に当接可能な当接部２２２とを有する。この突出部本体２２１のカード当接面の下端部にはカードＭの凸部１０が挿入可能な切欠き部２２１１が設けられている。この切欠き部２２１１のカードの凸部の先端部に対向する対向面には、挿入時のカードＭをスロット１１０の他端面に向けて移動させるための傾斜面２２１１ａと、この傾斜面２２１１ａと連なる面であり且つ移動したカードＭをスロット１１０の他端面との間で保持するための保持面２２１１ｂとが設けられている。
【００２２】
保持面２２１１ｂはカードＭの凸部１０に当接可能な平坦面である。この保持面２２１１ｂとスロット１１０の他端面との間の幅寸法はカードＭの先端部が嵌まり込むように当該カードＭの先端部の幅寸法よりも若干幅広にされている。即ち、カードＭの先端部が保持面２２１１ｂとスロット１１０の他端面との間に挿入されると、当該カードＭの幅方向の両側面に保持面２２１１ｂ、スロット１１０の他端面が各々当接する。これによりカードＭがスロット１１０内で回転し傾くことを防止することができる。
【００２３】
傾斜面２２１１ａはスロット１１０の他端面に向けて傾斜している。この傾斜面２２１１ａの傾斜開始位置から傾斜終了位置までの寸法は０．０５〜０．１ｍｍである。この傾斜面２２１１ａによりカードＭが保持面２２１１ｂとスロット１１０の他端面との間に導かれる。
【００２４】
また、突出部本体２２１は、図４に示すように、挿入方向の後端部の角部２２１２( 即ち、カードＭがスロット１１０に上下逆さに挿入されたときに当接する箇所) がカードＭの先端部に対して平面状にされている。なお、突出部本体２２１の上面には、ロック機構４００の一部を構成する溝部２２１３が設けられている。
【００２５】
以下、このカードコネクタの使用方法を説明すると共に、各部の動作について説明する。まず、カードＭをスロット１１０に挿入する。すると、カードＭの凸部１０がスライダ２００の突出部２２０の突出部本体２２１の切欠き部２２１１に嵌まり込む。そして、カードＭの凸部１０が切欠き部２２１１の傾斜面２２１１ａに当接する。これにより当該カードＭが挿入方向に移動しつつ、スロット１１０の他端面に向けて幅方向に移動する。その後、カードＭの先端部が切欠き部２２１１の保持面２２１１ｂとスロット１１０の他端面との間に嵌り込み保持される。そして、カードＭの先端部の角部がスライダ２００の突出部２２０の突出部本体２２１の当接部２２２に当接する。すると、カードＭの押圧によりスライダ２００がスプリング３００の付勢力に抗して当該カードＭと共にカード排出位置αからカード挿入位置βにかけてスライド移動する。
【００２６】
スライダ２００がカード挿入位置βに達した後、カードＭが挿入方向に押し込められると、当該スライダ２００がロック機構４００にロックされる。このとき、カードＭの接点とコネクタ本体１００の端子部１２０が接触する。これにより、カードＭとコネクタ本体１００とが電気接続される。
【００２７】
その後、カードＭが再び挿入方向に押し込められると、ロック機構４００のロックが解除される。すると、スライダ２００がスプリング３００の付勢力によりカード挿入位置βからカード排出位置αにかけて移動する。
【００２８】
また、カードＭを上下逆さにスロット１１０に挿入した場合、当該カードＭの先端部の角部がスライダ２００の突出部２２０の突出部本体２２１の後端部の角部２２１２に当接する。よって、カードＭを上下逆さに挿入したとしても、スライダ２００の突出部２２０の当接箇所の破損を防止することができる。
【００２９】
このようなカードコネクタによる場合、カードＭがスライダ２００の突出部２２０の切欠き部２２１１の傾斜面２２１１ａによりスロット１１０の他端面に移動させられ、その後、当該切欠き部２２１１の保持面２２１１ｂとスロット１１０の他端面との間で保持されるようになっている。このため、コネクタ本体１００が大型化することなく、カードＭがスロット１１０内で回転し傾くことを防止することができる。よって、傾いた状態のカードＭがスロット１１０内で引っ掛かったり、当該カードＭがスライダ２００に斜めに当接して当該スライダ２００のスムーズなスライド移動を妨げるようなことがない。即ち、従来例と比べてカードＭの挿脱をスムーズに行うことができる。また、スライダ２００がカード挿入位置βまでスムーズにスライド移動することから、従来例のごとく当該スライダ２００がロック機構４００にうまくロックされないという不具合が生じることもない。
【００３０】
しかも、カードＭの凸部１０がスライダ２００の突出部２２０の突出部本体２２１に設けられた切欠き部２２１１に挿入されるようになっている。このため、カードＭの上下方向の傾きも防止することができる。この点でも、従来例と比べてカードＭの挿脱をスムーズに行うことができる。
【００３１】
このカードコネクタはカードが挿脱可能なスロットを有するコネクタ本体と、このコネクタ本体の幅方向の一端部にカードと共に挿脱方向にスライド移動自在に設けられたスライダとを有するカードコネクタであって、前記スライダはスロットの幅方向の一端面から突出する突出部を有し、この突出部は、カードの一側面に当接可能な突出部本体と、この突出部本体の挿入方向の先端部に設けられており且つカードの先端部の一部に当接可能な当接部とを有し、前記突出部本体のカード当接面には挿入時のカードをスロットの他端面に向けて移動させるための傾斜面と、この傾斜面と連なる面であり且つ移動した前記カードをスロットの他端面との間で保持するための保持面とが設けられている限りどのような設計変形を行ってもかまわない。
【００３２】
即ち、スライダ２００は、突出部２２０の突出部本体２２１に切欠き部２２１１を設け、この切欠き部２２１１に傾斜面２２１１ａ及び保持面２２１１ｂを設けるようにしたが、カードＭに凸部１０が設けられていない場合には、切欠き部２２１１を設けず、突出部本体２２１に傾斜面及び保持面を設けるようにしてもかまわない。また、突出部本体２２１の角部２２１２をカードＭの先端部に対して平面状にするとしたが、従来例のごとくカードＭの切欠きの形状に合わせて傾斜面等にしてもかまわない。
【００３３】
なお、コネクタ本体１００及びスライダ２００については、上述した機能を実現できる限り、その形状は任意であることは言う迄もない。
【図面の簡単な説明】
【００３４】
【図１】内部が透過したカードコネクタを示す図であって、( ａ) はカードが挿入されていない状態のカードコネクタの概略的底面図、( ｂ）はカードが挿入された状態の時のカードコネクタの概略的底面図である。
【図２】同コネクタに挿入されるカードの概略的平面図である。
【図３】同コネクタのスライダを示す図であって、( ａ) が概略的底面図、( ｂ）が概略的平面図である。
【図４】内部が透過した同コネクタのカードが上下逆さに挿入された状態を示す概略的底面図である。
【図５】内部が透過した従来例のカードコネクタの概略的底面図である。
【符号の説明】
【００３５】
１００      コネクタ本体
１１０      スロット
２００      スライダ
２２０      突出部
２２１      突出部本体
２２１１    切欠き部
２２１１ａ  傾斜面
２２１１ｂ  保持面
２２１２    角部
Ｍ          カード
１０        凸部
【図１】
2005322494.tif 000003
【図２】
2005322494.tif 000004
【図３】
2005322494.tif 000005
【図４】
2005322494.tif 000006
【図５】
2005322494.tif 000007